(57)【要約】【課題】  周辺機等を増設する際に別途補助電源を増設することができ、画像形成装置本体のコストダウンを図れる画像形成装置を提供する。【解決手段】  本体電源２だけの容量ではオプション周辺機を動作させることができない画像形成装置本体１に補助電源３を取り付けることにより電源容量増加を可能とする。補助電源３には、オプション周辺機と接続のための接続コネクタ４を複数個設ける。補助電源３は画像形成装置本体１の開口部１０から挿入して取り付け、開口部１０内で接続コネクタをセットできるようにしてある。補助電源３の内部には画像形成装置本体１側のコネクタとの不完全セットを防止するために、画像形成装置１内部に引き込まれるようにする機構を設ける。【選択図】        図１
2005091401.tif 000002
【特許請求の範囲】
【請求項１】
両面装置やソータ等のオプション装置を装備可能な画像形成装置において、前記画像形成装置本体に着脱可能なオプション装置用電源を含み、該オプション装置用電源が、前記オプション装置と外部側で接続するためのコネクタを複数備えることを特徴とする画像形成装置。
【請求項２】
請求項１の画像形成装置において、前記画像形成装置本体に前記オプション装置用電源装着用の開口部を備え、該開口部内及び前記オプション装置用電源の該開口部への挿入先端側に内部側で接続するためのコネクタを備えることを特徴とする画像形成装置。
【請求項３】
請求項２の画像形成装置において、前記開口部内に上方へ凸となる山状の部位を設け、前記オプション装置用電源が下方へ突出して前記山状部位を乗り越え可能なコロと該コロを下方へ突出付勢する弾性手段を有することを特徴とする画像形成装置。
【請求項４】
請求項２または３のいずれかの画像形成装置において、前記オプション装置用電源を前記画像形成装置本体にセットする際に、前記内部側での接続用のコネクタがセットされる直前に、前記オプション装置用電源が前記画像形成装置本体内へ引き込まれるようにするための引き込み機構を有することを特徴とする画像形成装置。
【請求項５】
請求項４の画像形成装置において、前記を引き込み機構が、前記オプション装置用電源側に設けてあることを特徴とする画像形成装置。
【発明の詳細な説明】
【技術分野】
【０００１】
本発明は、ファクシミリ、プリンタ、コピー等の画像形成装置に関する。
【背景技術】
【０００２】
両面反転装置、フィニッシャ、ソータ等の後処理周辺機を増設できるように構成してある複写機やプリンタ等の画像形成装置においては、画像形成装置本体内にある電源装置が、周辺機をすべて取り付けた状態で動作できる電源容量を持たなければならない。
【発明の開示】
【発明が解決しようとする課題】
【０００３】
そのため、周辺機等を何も使用しないユーザーに対しても過大な容量を持った電源装置を画像形成装置に取り付けなければならなかった。
【０００４】
そこで本発明は、周辺機等を増設する際に別途補助電源を増設することができ、画像形成装置本体のコストダウンを図れる画像形成装置を提供することを目的とする。
【０００５】
本発明は、を提供することを目的とする。
【課題を解決するための手段】
【０００６】
本発明の請求項１に係る画像形成装置は、両面装置やソータ等のオプション装置を装備可能な画像形成装置において、前記画像形成装置本体に着脱可能なオプション装置用電源を含み、該オプション装置用電源が、前記オプション装置と外部側で接続するためのコネクタを複数備えることを特徴とする。
【０００７】
同請求項２に係るものは、請求項１の画像形成装置において、前記画像形成装置本体に前記オプション装置用電源装着用の開口部を備え、該開口部内及び前記オプション装置用電源の該開口部への挿入先端側に内部側で接続するためのコネクタを備えることを特徴とする。
【０００８】
同請求項３に係るものは、請求項２の画像形成装置において、前記開口部内に上方へ凸となる山状の部位を設け、前記オプション装置用電源が下方へ突出して前記山状部位を乗り越え可能なコロと該コロを下方へ突出付勢する弾性手段を有することを特徴とする。
【０００９】
同請求項４に係るものは、請求項２または３のいずれかの画像形成装置において、前記オプション装置用電源を前記画像形成装置本体にセットする際に、前記内部側での接続用のコネクタがセットされる直前に、前記オプション装置用電源が前記画像形成装置本体内へ引き込まれるようにするための引き込み機構を有することを特徴とする。
【００１０】
同請求項５に係るものは、請求項４の画像形成装置において、前記を引き込み機構が、前記オプション装置用電源側に設けてあることを特徴とする。
【発明の効果】
【００１１】
本発明に係る画像形成装置は、周辺機等を増設する際に必要な電源容量に関しては画像形成装置本体とは別途のオプション装置用電源を増設することにより、画像形成装置本体のコストダウンが可能になり、また周辺機等を何も使用しないユーザーが過大な容量の電源装置を備える画像形成装置を使用しなくても済むようになるという効果がある。
【発明を実施するための最良の形態】
【００１２】
以下本発明を実施するための最良の形態を、図に示す実施例を参照して説明する。
【実施例】
【００１３】
図１は本発明に係る画像形成装置の一実施例の構成を示す斜視図である。画像形成装置本体１の内部には、画像形成装置本体１のみを動かせる容量を持つ本体電源２が備え付けてある。すなわち、両面反転装置、フィニッシャ、ソータ等のオプション周辺機（不図示）を使用する場合、本体電源２だけの容量ではオプション周辺機を動作させることができない。
【００１４】
図中３は補助電源で、この補助電源３を画像形成装置本体１に取り付けることにより電源容量を増加させることができる。補助電源３には、オプション周辺機と接続のための接続コネクタ４が複数個設けてあり、画像形成装置本体１が許容する最大構成のオプション周辺機を取り付けることができるようになっている。換言すれば、オプション周辺機を取り付ける際には補助電源３が必要となるため、補助電源３の設置し忘れ等を防止できる。
【００１５】
補助電源３は、樹脂材料または板金部材からなるケースで覆って構成してあり、図示しない基板から放射される電磁波を遮断することができるようになっている。また、板金部材等で覆ってユニット化したことにより、画像形成装置本体１に挿入するだけで補助電源３をセットすることができるようになっている。
【００１６】
具体的には画像形成装置本体１の側面に開口部１０が設けてあり、補助電源３はこの開口部１０から画像形成装置本体１内にセットできるようになっている。また補助電源３の図１における背面側、すなわち開口部１０への挿入先側には接続コネクタ５が設けてあり、補助電源３の内部には画像形成装置本体１側の本体側コネクタ６と接続コネクタ５の不完全セットを防止するために、画像形成装置１内部に引き込まれるようにする機構（不図示）が設けてある。また開口部１０内の下面には山状突起１１が上方へ突出させて設けてあり、補助電源３のケース内には圧縮スプリング７で支えかつ下方へ付勢したコロ８が設けてある。
【００１７】
図２は本実施例における補助電源３の画像形成装置本体１へのセット状態を示す断面図である。上述のような補助電源３を画像形成装置本体１の開口部１０から画像形成装置本体１内へ挿入すると、接続コネクタ５と本体コネクタ６が接続される直前に、画像形成装置本体１の挿入部下面の山状突起１１をコロ８が乗り越え、コロ８は本体側コネクタ６側でない山状突起１１の側面に位置し、常に補助電源３には本体コネクタ６方向（図中左向き）の付勢力を与え続ける。そのため、補助電源３の接続コネクタ５と本体側コネクタ６の不完全セットが防止される。なお図示は省略するが、補助電源３のケース下面には、山状突起１１が干渉しないようにするための溝等を設けるとよい。
【００１８】
このような機構をオプションである補助電源３に取り付けることにより画像形成装置１本体のコストを低減することができるが、これは、オプション装置を増設する際にオプション装置用電源である補助電源３を画像形成装置本体１に取り付けることにより、画像形成装置本体１が備えるの本体電源２の電源容量を小さくすることができる。これは、画像形成装置本体１の製造コストを低減させることを可能とする。
【図面の簡単な説明】
【００１９】
【図１】本発明に係る画像形成装置の一実施例の構成を示す斜視図
【図２】補助電源の画像形成装置本体へのセット状態を示す断面図
【符号の説明】
【００２０】
１：画像形成装置本体
２：本体電源
３：補助電源
４、５：接続コネクタ
６：本体側コネクタ
７：圧縮スプリング
８：コロ
１０：画像形成装置本体の開口部
１１：山状突起
【図１】
2005091401.tif 000003
【図２】
2005091401.tif 000004